(57)【特許請求の範囲】
【請求項１】
筒状の外枠部材と、
前記外枠部材の筒の内側に、前記外枠部材の内面に接して両端部の間の部分が撓んだ状態で配置された板状部材と、を備え、
前記板状部材が、前記外枠部材と前記板状部材とで囲まれた空間内に配置される腕帯の外面の一部を固定する、前記板状部材の前記両端部の間の部分に形成された第１固定部を有し、
前記外枠部材が、前記空間内に配置される前記腕帯の外面の他の一部を固定する第２固定部と、前記腕帯の、前記第１固定部に固定される前記一部に対して前記他の一部とは反対側の端部を前記空間内から前記外枠部材の外面の側に通過させる開口と、前記外枠部材の外面に、前記端部の側を固定する第３固定部と、を有する腕帯装着補助具。
【請求項２】
前記板状部材の前記両端部のうち、前記第２固定部に近い側の端部は、前記外枠部材に固定されている請求項１に記載の腕帯装着補助具。
【請求項３】
前記板状部材の前記両端部の間の、前記板状部材に沿った長さが、前記外枠部材の内側の幅又は直径よりも長い請求項１又は２に記載の腕帯装着補助具。
【請求項４】
前記板状部材の前記両端部が、いずれもの前記外枠部材の内面に沿って摺動可能である請求項３に記載の腕帯装着補助具。
【請求項５】
前記第１固定部は、前記両端部の間に複数形成されている請求項１から４のうちいずれか１項に記載の腕帯装着補助具。
【請求項６】
請求項１から５のうちいずれか１項に記載の腕帯装着補助具と、
前記腕帯装着補助具の前記外枠部材と前記板状部材とで囲まれた空間内において、前記第１固定部及び前記第２固定部に固定され、かつ前記第１固定部に固定された部分に対して前記第２固定部に固定された部分とは反対側の端部が、前記開口を介して前記空間内から外面の側に配置された状態で、前記第３固定部に固定される腕帯と、を備えた装着補助具付きの腕帯。
【発明の詳細な説明】
【技術分野】
【０００１】
本発明は、腕帯装着補助具及び装着補助具付きの腕帯に関する。
【背景技術】
【０００２】
血圧を血圧計で測定する場合、腕帯（カフともいう。）で、腕、手首、指など（以下、腕等という）を圧迫して血流の脈波を検出する。腕帯は、帯状に形成された、主に布製のカバーの内部に空気袋が内蔵されていて、空気袋に空気が入っていない状態では平たい帯状となり、折り畳んで収納することができる。このような腕帯はソフトカフと称される。そして、血圧の測定の際には、帯状の腕帯を腕等に巻き付け、空気袋の内部に空気を供給することで腕帯を膨らまして腕等を圧迫する。
【０００３】
ここで、被検者本人が自身の腕等に腕帯を巻き付ける場合、片手での操作となるため、操作に時間が掛ったり、血圧の測定に適する密着した巻き付けができなかったりする。そこで、適切で容易な巻き付け操作を実現するために、腕帯の帯状の長手方向の一端部に環状の締め具が装着されて、長手方向の他方の端部を予め締め具の環状の中に内側から通した状態に形成したものがある。この腕帯は、一方の端部（締め具）に他方の端部が通されているため、折り畳まれた状態から広げると筒状になり、その中に腕等を通すことで、被検者自身が腕帯を巻き付けるという操作を容易にしている。
【０００４】
一方、空気袋が硬質の樹脂によって予め特定の輪郭の筒状に形作られたハードカフは、腕等をその筒の中に通すだけであるため、操作自体は容易である（例えば、特許文献１
参照）。しかし、ハードカフは、腕等を通した状態では、腕帯は腕等に対して緩い状態であり、内部に空気を供給して膨らませた状態で初めて腕等を圧迫することができる。
【０００５】
これに対してソフトカフは、空気を供給する前段階の腕等に巻いた状態で既に、腕等への密着を実現しているため、空気を供給して膨らませた状態での腕等への密着性は、ハードカフに比べて高い。しかも、腕等の太さや形状には被検者の個人差があるため、特定の輪郭の筒状に形成されたハードカフよりもソフトカフの方が圧迫時の腕への密着性が高い。
【先行技術文献】
【特許文献】
【０００６】
【特許文献１】特開２００２−１０２１８１号公報
【発明の概要】
【発明が解決しようとする課題】
【０００７】
しかし、一端部に締め具が設けられたソフトカフであっても、折り畳まれた状態から広げ、筒状の太さを調整しながら腕等を通す装着の操作は慣れないと難しい。一方、ハードカフは、使用前から筒状に形成されているため操作性は良い。しかし、被検者ごとに太さや形状の個人差がある腕等に対する圧迫時の密着性の点で、特定の形状に形成されているハードカフよりもソフトカフの方が優れている。
本発明は上記事情に鑑みなされたもので、腕等への腕帯の密着性を維持しつつ、腕等に腕帯を装着する操作を容易にする腕帯装着補助具及び装着補助具付きの腕帯を提供することを目的とする。
【課題を解決するための手段】
【０００８】
本発明の第１は、筒状の外枠部材と、前記外枠部材の筒の内側に、前記外枠部材の内面に接して両端部の間の部分が撓んだ状態で配置された板状部材と、を備え、前記板状部材が、前記外枠部材と前記板状部材とで囲まれた空間内に配置される腕帯の外面の一部を固定する、前記板状部材の前記両端部の間の部分に形成された第１固定部を有し、前記外枠部材が、前記空間内に配置される前記腕帯の外面の他の一部を固定する第２固定部と、前記腕帯の、前記第１固定部に固定される前記一部に対して前記他の一部とは反対側の端部を前記空間内から外面の側に通過させる開口と、前記外面に、前記端部の側を固定する第３固定部と、を有する腕帯装着補助具である。
【０００９】
本発明の第２は、本発明に係る腕帯装着補助具と、前記腕帯装着補助具の前記外枠部材と前記板状部材とで囲まれた空間内において、前記第１固定部及び前記第２固定部に固定され、かつ前記第１固定部に固定された部分に対して前記第２固定部に固定された部分とは反対側の端部が、前記開口を介して前記空間内から外面の側に配置された状態で、前記第３固定部に固定される腕帯と、を備えた装着補助具付きの腕帯である。
【発明の効果】
【００１０】
本発明に係る腕帯装着補助具及び装着補助具付きの腕帯によれば、腕等への腕帯の密着性を維持しつつ、腕等に腕帯を装着する操作を容易にする。
【図面の簡単な説明】
【００１１】
【図１Ａ】本発明の一実施形態である腕帯装着補助具を示す斜視図である。
【図１Ｂ】図１Ａにおける外枠部材の軸線に垂直な面による断面を表す断面図である。
【図１Ｃ】図１Ａの腕帯装着補助具の側面図である。
【図２Ａ】腕帯装着補助具にソフトカフの腕帯が固定された状態を示す斜視図である。
【図２Ｂ】図２Ａにおける外枠部材の軸線に垂直な面による断面を表す断面図である。
【図３Ａ】腕帯に挿し入れた腕等を圧迫するために、腕帯の端部を引っ張った状態を示す図である。
【図３Ｂ】腕等を圧迫した状態に保つために、腕帯の面ファスナを腕帯装着補助具の第３固定部に固定した状態を示す図である。
【図４】外枠部材の貫通孔を通して空間から外枠部材の外方に引き出された腕帯の端部が、貫通孔を通過した部分において折り返されない形態を示す図２Ｂ相当の図である。
【図５Ａ】図１Ｂに示した腕帯装着補助具における外枠部材と板状部材とを一体に形成した腕帯装着補助具を示す図１Ｂ相当の断面図である。
【図５Ｂ】図５Ａの状態から、腕帯の端部を引っ張った状態を示す図である。
【発明を実施するための形態】
【００１２】
以下、本発明に係る腕帯装着補助具及び装着補助具付きの腕帯の実施形態について、図面を用いて説明する。
【００１３】
＜腕帯装着補助具の構成＞
図１Ａは本発明の一実施形態である腕帯装着補助具１を示す斜視図、図１Ｂは図１Ａにおける外枠部材２の軸線に垂直な面による断面を表す断面図、図１Ｃは図１Ａの腕帯装着補助具１の側面図である。
【００１４】
本発明の一実施形態である腕帯装着補助具１は、血圧計で血圧を測定する場合に、腕、手首、指など（以下、腕等という）に装着されて腕等を圧迫する腕帯を、腕等に装着する操作のための補助具である。腕帯装着補助具１は、図１Ａ，１Ｂ，１Ｃに示すように、外枠部材２と板状部材３とを備えている。
【００１５】
外枠部材２は、例えばシリコーンゴムやポリプロピレン（ＰＰ）などの樹脂材で、円筒状に形成されている。外枠部材２の材質は、樹脂に限定されず、金属であってもよく、樹脂としては軟質の樹脂であってもよいし硬質の樹脂であってもよい。なお、外枠部材２は、押しつぶした状態に変形可能で、省スペースを実現することができ、軽量でもあるシリコーンゴムであることが好ましい。
【００１６】
板状部材３は、例えばポリプロピレンなどの樹脂材で、単体では平坦な矩形の平板状に形成されている。板状部材３のコシ（剛性）は、外枠部材２よりも弱い。板状部材３は、両端部３ｃ，３ｄ間の長さが外枠部材２の内径よりも長く形成されている。このため、板状部材３は、外枠部材２の円筒の内側に配置された状態で、外枠部材２の内面２ｂに両端部３ｃ，３ｄが接して両端部３ｃ，３ｄの間の部分３ｅが撓んだ状態で、外枠部材２の軸方向に延びて配置されている。
【００１７】
板状部材３は、外枠部材２の内面２ｂに一方の面３ａが対向して両端部３ｃ，３ｄが接しているため、板状部材３は、図１Ｂに示すように、一方の面３ａが他方の面３ｂよりも外枠部材２の内面２ｂに近い凸となるように撓んでいる。板状部材３は両端部３ｃ，３ｄが外枠部材２の内面２ｂに接しているが、外枠部材２にいずれの部分も固定されていないため、板状部材３は外枠部材２に対して内面２ｂに沿って周方向に自由に摺動することができる。
【００１８】
なお、一方の端部３ｃ（後述する外枠部材２の第２固定部６に近い側の端部）は、外枠部材２の内面２ｂに対して摺動しないように固定されていてもよい。この場合、外枠部材２と板状部材３とが離れ離れになるのを防止することができる。また、板状部材３は、一方の端部３ｃが外枠部材２に固定されて外枠部材２に支えられるため、他方の端部３ｄは内面２ｂに接する必要がない。したがって、両端部３ｃ，３ｄ間の板状部材３に沿った長さを、外枠部材２の内径よりも短く形成することもできる。
【００１９】
図２Ａは腕帯装着補助具１にソフトカフの腕帯２０が固定された状態を示す斜視図、図２Ｂは図２Ａにおける外枠部材２の軸線に垂直な面による断面を表す断面図である。腕帯装着補助具１は、図２Ａ，２Ｂに示すように、外枠部材２と板状部材３とで囲まれた空間のうち大きい方の略円柱状の空間１ｓの内側に、いわゆるソフトカフである腕帯２０を固定する。腕帯装着補助具１は、空間１ｓに臨んだ板状部材３の面３ｂに、腕帯２０の外面２０ａ（被検者の腕等１００に接する面を内面２０ｂとしたとき、内面２０ｂとは反対側の面）を固定する第１固定部４，５を有している。
【００２０】
なお、ソフトカフの腕帯２０は、主に布製のカバーの内部に空気袋が内蔵されていて、空気袋に空気が入っていない状態では平たい帯状となり、折り畳んだ状態で収容することができる。そして、血圧の測定の際には、筒状にして空気袋の内部に空気を供給することで腕帯２０を膨らまして腕等１００を圧迫する。
【００２１】
腕帯装着補助具１は、空間１ｓに臨んだ外枠部材２の内面２ｂに、腕帯２０の外面２０ａを固定する第２固定部６を有している。第１固定部４，５及び第２固定部６は、例えば面ファスナであり、第１固定部４は腕帯２０の外面に予め設けられている例えば面ファスナなどの被固定部２４と密着して腕帯２０を固定する。同様に、第１固定部５は腕帯２０の外面２０ａに予め設けられている例えば面ファスナなどの被固定部２５と密着して腕帯２０を固定する。第２固定部６は、腕帯２０の一方の端部２１の近傍の外面２０ａに予め設けられている例えば面ファスナなどの被固定部２６と密着して腕帯２０を固定する。
【００２２】
外枠部材２はさらに、外面２ａに第３固定部７を有している。外枠部材２の第３固定部７も例えば面ファスナであり、第３固定部７は腕帯２０の他方の端部２２の近傍の外面２０ａに予め設けられている例えば面ファスナなどの被固定部２７と密着して腕帯２０を固定する。
【００２３】
外枠部材２には、外枠部材２の軸方向に沿って延びた貫通孔８（切欠き部の一例）が形成されている。貫通孔８は、空間１ｓ内に配置された腕帯２０の、外枠部材２の軸に沿った長さよりも長く形成された、細長い矩形の開口であり、図２Ｂに示すように、空間１ｓに配置された腕帯２０の、端部２１とは反対の端部２２を、外枠部材２の外面２ａの側に貫通させる。なお、第２固定部６は、貫通孔８の直近に形成されており、第３固定部７は、貫通孔８に対して、第２固定部６とは反対の側に設けられている。なお、貫通孔８に対して、第２固定部６と反対側の内面２ｂのうち第１固定部５と貫通孔８との間の範囲には、第２固定部６と同様の、腕帯２０を固定する固定部は形成されていない。
【００２４】
＜腕帯装着補助具の作用＞
以上のように構成された腕帯装着補助具１によると、板状部材３は外枠部材２の内側に配置された状態では図１Ｂに示すように略円筒状の空間１ｓを形成する。腕帯２０は、外面２０ａに設けられた被固定部２６，２４，２５が腕帯装着補助具１の固定部６，４，５にそれぞれ対応して固定されることにより、図２Ｂに示すように空間１ｓの外縁に沿って配置され、全体として略円筒状に広げられた状態となる。したがって、血圧を計測しようとする被検者は、自身で腕帯２０を広げる必要がない。
【００２５】
そして、腕帯装着補助具１は、図２Ｂに示すように、外枠部材２と板状部材３とによって腕等１００よりも太い内径の略円筒の形状を維持しているため、この略円筒状に広げられた腕帯２０の内側に圧迫対象の腕等１００を所定の位置まで挿し入れる際に、腕帯２０が変形しない。従来のソフトカフの腕帯の場合は、圧迫対象とは反対の手で腕等１００の所定の位置まで腕帯を引き上げる操作の際に腕帯が変形するため、腕帯の周囲の複数の部分を持ち替えながら引き上げる操作が必要である。
【００２６】
これに対して、本実施形態の腕帯装着補助具１に固定された腕帯２０では、そのような事態が生じるのを防止することができる。つまり、本実施形態の腕帯装着補助具１によれば、固定された腕帯２０を腕等１００に装着する操作を、ハードカフと同様に容易にすることができる。
【００２７】
図３Ａは、腕帯２０に挿し入れた腕等１００を圧迫するために、腕帯２０の端部２２を引っ張った状態を示す図であり、図３Ｂは、腕等１００を圧迫した状態に保つために、腕帯２０の被固定部２７を腕帯装着補助具１の第３固定部７に固定した状態を示す図である。
【００２８】
被検者は、広げられた腕帯２０の内側に腕等１００を挿し入れた状態（図２Ｂ参照）で、貫通孔８を通過して外枠部材２の外面２ａの側に引き出された状態の腕帯２０の端部２２を、例えば腕帯２０に通していない方の手で、図３Ａに示すように外方に引っ張ると、腕帯２０のうち腕帯装着補助具１の空間１ｓ内の部分が外方に引っ張られる。具体的には、腕帯２０は、第１固定部５に固定された被固定部２５が貫通孔８の側に引っ張られる。このとき、板状部材３は、被固定部２５が固定された第１固定部５が貫通孔８の側に引っ張られる。
【００２９】
板状部材３は、両端部３ｃ，３ｄがいずれも外枠部材２に固定されておらず外枠部材２に対して内面２ｂに沿って摺動可能で、かつ可撓性を有する。したがって、第１固定部５が貫通孔８の側に引っ張られると、図３Ａに示すように、端部３ｃ，３ｄがいずれも内面２ｂを摺動しながら空間１ｓを狭めるように変形する。これにより、腕帯２０に空気が供給される前の段階で、腕帯２０の内面２０ｂを、全周に亘って腕等１００に密着させることができる。なお、両端部３ｃ，３ｄがいずれも内面２ｂを摺動しながら空間１ｓを狭めるように変形することで、板状部材３が腕等１００に対して偏って密着するのを防止又は抑制することができる。
【００３０】
そして、被検者は、図３Ｂに示すように、例えば手で腕帯２０の端部２２を引っ張ったまま、腕帯２０を、貫通孔８の縁で折り返し、腕帯２０の外面２０ａを外枠部材２の外面２ａに向き合わせ、腕帯２０の外面２０ａの被固定部２７を外枠部材２の外面２ａの第３固定部７に固定する。これにより、空気が供給される前の段階の腕帯２０を、腕等１００に密着した状態に保持することができる。
【００３１】
この後、被検者は、腕帯２０から手を離して、血圧計を操作し、腕帯２０に空気を供給して腕帯２０を膨らませることにより、腕等１００を腕帯２０で強く圧迫し、腕帯２０と腕等１００との適切な密着を実現し、精度の高い血圧値を計測することができる。
以上、詳細に説明した通り、本実施形態の腕帯装着補助具１によれば、腕等１００への腕帯２０の密着性をソフトカフと同等に維持しつつ、腕等１００に腕帯２０を装着する操作をハードカフと同等に容易にすることができる。
【００３２】
＜変形例＞
本実施形態の腕帯装着補助具１は、図２Ｂに示すように、外枠部材２の貫通孔８を通して空間１ｓから外枠部材２の外方に引き出された腕帯２０の端部２２が、外面２０ａの側が外枠部材２の外面２ａに対向するように、貫通孔８を通過した部分において折り返される形態であるが、貫通孔８を通過した部分において折り返されない形態であってもよい。
【００３３】
図４は、外枠部材２の貫通孔８を通して空間１ｓから外枠部材２の外方に引き出された腕帯２０の端部２２が、貫通孔８を通過した部分において折り返されない形態を示す図２Ｂ相当の図である。腕帯２０が、腕帯２０の内面２０ｂのうち端部２２に近接した位置に、被固定部２７を有するものである場合は、図４に示すように、外枠部材２の貫通孔８を通して空間１ｓから外枠部材２の外方に引き出された腕帯２０の端部２２の側の部分は、貫通孔８を通過した部分において折り返されない。つまり、腕帯２０は、外枠部材２の外側においても、外枠部材２の内側の空間１ｓにおける巻き方向を維持して、腕帯２０の端部の近傍の内面２０ｂに設けられた被固定部２７を、第３固定部７で固定することができる。
【００３４】
図５Ａは、図１Ｂに示した腕帯装着補助具１における外枠部材２と板状部材３とを一体に形成した腕帯装着補助具１１を示す図１Ｂ相当の断面図、図５Ｂは、図５Ａの状態から、腕帯２０の端部２２を引っ張った状態を示す図である。図示の腕帯装着補助具１１は、本発明に係る腕帯装着補助具の一実施形態であり、可撓性を有する矩形で平板状の単一の部材を円筒状に丸めた構造であり、丸めて最外周の１周部分を構成した円筒部分１２の他に円筒部分１２の内側まで延びた延長部分１３を有する渦巻き状に形成されている。
【００３５】
そして、円筒部分１２の基点となる端部１２ｃの内面１２ｂが、延長部分１３の基点となる基部１３ｃの外面１３ａと固定されている。これにより、円筒部分１２は、腕帯装着補助具１における外枠部材２に相当する。一方、延長部分１３の、基部１３ｃとは反対側の端部１３ｄの外面１３ａは、円筒部分１２の内面１２ｂに固定されず、円筒部分１２に対して摺動可能となっている。これにより、延長部分１３は、腕帯装着補助具１における、端部３ｃが外枠部材２に固定された板状部材３に相当する。なお、この構成の場合、腕帯装着補助具１における板状部材３の、第２固定部６に近い方の端部３ｃを外枠部材２の内面２ｂに対して摺動しないように固定した形態において、外枠部材２と板状部材３とを一体にした構成の一例と捉えることができる。
【００３６】
なお、円筒部分１２に貫通孔８が形成され、貫通孔８の直近の円筒部分１２の内面であって、延長部分１３の基部１３ｃに近い側に、腕帯装着補助具１における第２固定部６と同じ第２固定部６が形成され、延長部分１３の内面１３ｂに、腕帯装着補助具１における第１固定部４，５と同じ第１固定部４，５が形成され、円筒部分１２の外面１２ａに、腕帯装着補助具１における第３固定部７と同じ第３固定部７が形成されている。
【００３７】
このように形成された腕帯装着補助具１１は、図５Ａに示すように、腕帯装着補助具１と同様に、第１固定部４，５及び第２固定部６に被固定部２４，２５，２６により固定された腕帯２０は、全体として略円筒状に広げられた状態となる。したがって、血圧を計測しようとする被検者は、自身で腕帯２０を広げる操作をする必要がない。また、腕帯装着補助具１１によれば、固定された腕帯２０を腕等１００に装着する操作を、ハードカフと同様に容易にすることができる。
【００３８】
また、被検者が、広げられた腕帯２０の内側に腕等を挿し入れた状態で、貫通孔８を通過して円筒部分１２の外面１２ａの側に引き出された状態の腕帯２０の端部２２を、腕帯２０に通していない方の手で外方に引っ張ると、腕帯２０のうち腕帯装着補助具１１の空間１１ｓ内の部分が外方に引っ張られる。これにより、延長部分１３は、図５Ｂに示すように、端部１３ｄが内面１２ｂを摺動しながら空間１１ｓを狭めるように変形する。これにより、腕帯２０に空気が供給される前の段階で、腕帯２０の内面２０ｂを、全周に亘って腕等に密着させることができる。
【００３９】
そして、被検者は、腕帯装着補助具１と同様に、腕帯２０の被固定部２７を円筒部分１２の外面１２ａの第３固定部７に固定することで、空気が供給される前の段階の腕帯２０を、腕等に密着した状態に保持することができる。
したがって、腕帯装着補助具１１によれば、腕等への腕帯２０の密着性をソフトカフと同等に維持しつつ、腕等に腕帯２０を装着する操作をハードカフと同等に容易にすることができる。
【００４０】
上述した実施形態及び変形例の腕帯装着補助具１，１１は、板状部材３又は延長部分１３に、両端部３ｃ，３ｄの間又は基部１３ｃと端部１３ｄとの間に２つの第１固定部４，５が形成された構成であるが、第１固定部は１つでもよいし、３つ以上の複数でもよい。ただし、第１固定部４，５と第２固定部６とにより、腕帯２０を広げる形状が決まり、第１固定部の数が多いほど、腕帯２０を大きく広げることができるため、第１固定部は２つ以上形成されていることが好ましい。また、２つの第１固定部４，５と、第２固定部６とが、互いに近接するのではなく、互いに遠く離れた位置に形成されることにより、固定される腕帯２０を大きく広げることができる。
【００４１】
上述した実施形態及び変形例の腕帯装着補助具１，１１は、第１固定部４，５、第２固定部６及び第３固定部７がそれぞれ例えば面ファスナであるものとして説明したが、第１固定部４，５、第２固定部６及び第３固定部７は、面ファスナに限定されるものではなく、例えばスナップボタン等、腕帯２０の対応する部分である被固定部２４，２５，２６，２７を固定するものであれば如何なる態様の固定部や固定部材であってもよい。被固定部２４，２５，２６，２７についても同様である。
【００４２】
また、各実施形態及び変形例の腕帯装着補助具１，１１は、腕帯装着補助具１，１１の内側の空間１ｓ，１１ｓに固定された腕帯２０を腕帯装着補助具１，１１の外側に引き出すための開口の一例として貫通孔８を適用したものである。しかし、本発明に係る腕帯装着補助具は、この形態に限定されるものではなく、腕帯２０を腕帯装着補助具１，１１の内側の空間１ｓ，１１ｓから外側に通過させる開口であれば、周囲の全周が繋がった孔に限らず、周囲の一部が繋がった切欠きや、周囲の２か所が繋がらずに分断された空間であってもよい。開口として、分断された空間を適用したものでは、図１Ｂの断面図では、外枠部材２は、Ｃ字状の断面を有するものとなる。
【００４３】
各実施形態及び変形例の腕帯装着補助具１，１１は、外枠部材２及び円筒部分１２がいずれも円筒状に形成されたものであるが、これら外枠部材２及び円筒部分１２の形状は、断面が真円の円環状の円筒に限定されるものではなく、断面が楕円の円環状の円筒や、曲率が不定に変化する円環状の断面の円筒であってもよい。さらに、外枠部材２及び円筒部分１２は、円筒に限定されず角筒であってもよい。ただし、外枠部材２及び円筒部分１２が円筒形状であることにより、内側の空間に固定された腕帯を大きく広げることができて腕等を通し易くなるため、円筒形状であることが好ましい。
【００４４】
上述した実施形態は、腕帯２０とは別体の腕帯装着補助具１であり、腕帯２０に、第１固定部４，５、第２固定部６及び第３固定部７にそれぞれ固定される例えば面ファスナなどの被固定部が形成されているものであれば、既存の腕帯にも利用することができる。
【００４５】
＜装着補助具付きの腕帯＞
また、上述した腕帯装着補助具１と腕帯２０とが、第１固定部４，５、第２固定部６で予め固定されたもの、すなわち装着補助具付きの腕帯は、本発明に係る装着補助具付きの腕帯の一実施形態である。この装着補助具付きの腕帯は、上述した腕帯装着補助具１（又は腕帯装着補助具１１）と、腕帯装着補助具１（又は腕帯装着補助具１１）の外枠部材２（円筒部分１２）と板状部材３（延長部分１３）とで囲まれた空間１ｓ（又は空間１１ｓ）内において、第１固定部４，５及び第２固定部６に固定され、かつ第１固定部４，５に固定された部分に対して第２固定部６に固定された部分とは反対側の端部２２が、貫通孔８を介して空間１ｓ（又は空間１１ｓ）内から外面２ａ（又は外面１２ａ）の側に配置された状態で、第３固定部７に固定される腕帯２０と、を備えた構成である。
【００４６】
そして、この実施形態の装着補助具付き腕帯によれば、腕等への腕帯２０の密着性をソフトカフと同等に維持しつつ、腕等に腕帯２０を装着する操作をハードカフと同等に容易にすることができる。
【符号の説明】
【００４７】
１      腕帯装着補助具
１ｓ    空間
２      外枠部材
２ａ    外面
３      板状部材
３ｃ，３ｄ  端部
４，５      第１固定部
６      第２固定部
７      第３固定部
８      貫通孔（開口の一例）
２０    腕帯
２０ａ  外面
２２    端部
１００  腕等
【図１Ａ】
0006612628.tif 000002
【図１Ｂ】
0006612628.tif 000003
【図１Ｃ】
0006612628.tif 000004
【図２Ａ】
0006612628.tif 000005
【図２Ｂ】
0006612628.tif 000006
【図３Ａ】
0006612628.tif 000007
【図３Ｂ】
0006612628.tif 000008
【図４】
0006612628.tif 000009
【図５Ａ】
0006612628.tif 000010
【図５Ｂ】
0006612628.tif 000011